(57)【特許請求の範囲】
【請求項１】
一面に一方向に延長された複数のレンズ構造物を含み、
前記複数のレンズ構造物の上部に形成され、前記複数のレンズ構造物の延長方向と同一方向に沿って配列される複数の突起からなる第１突起部と、
前記複数のレンズ構造物の上部に形成され、前記複数のレンズ構造物の延長方向に対して一定の角度を有する方向に沿って配列される複数の突起からなる第２突起部と、を含み、
少なくとも一つの前記レンズ構造物において、前記第１突起部の前記延長方向で隣接する２つの突起の間に前記第２突起部の突起が配置され、一方の前記隣接する第１突起部の突起と前記配置された第２突起部の突起との間の距離は、他方の前記隣接する第１突起部の突起と前記配置された第２突起部の突起との間の距離と異なる
集光フィルム。
【請求項２】
前記複数のレンズ構造物の延長方向と前記第２突起部の突起配列方向との角度をθとするとき、１０°≦θ≦４０°である、請求項１に記載の集光フィルム。
【請求項３】
前記第１突起部は下記式１を満たすように形成される、請求項１または２に記載の集光フィルム。
式１
Ｐ１，ｘ＝Ｐ１，ｙ＝ｎ１×ＰＬ
前記式１において、
Ｐ１，ｘは前記複数のレンズ構造物の延長方向に対して垂直に測定した前記第１突起部の隣接突起間の間隔であり、
Ｐ１，ｙは前記複数のレンズ構造物の延長方向に沿って測定した前記第１突起部の隣接突起間の間隔であり、
ＰＬは前記複数のレンズ構造物のピッチであり、
ｎ１は整数である。
【請求項４】
前記ｎ１は３〜７である、請求項３に記載の集光フィルム。
【請求項５】
前記第２突起部は下記式２及び式３を満たすように形成される、請求項１から４の何れか１項に記載の集光フィルム。
式２：Ｐ２，ｘ＝（ｎ２，ｘ×ＰＬ）／ｃｏｓθ
式３：Ｐ２，ｙ＝（ｎ２，ｙ×ＰＬ）／ｓｉｎθ
前記式２及び式３において、
Ｐ２，ｘは前記第２突起部の配列方向に対して垂直に測定した前記第２突起部の隣接突起間の間隔であり、
Ｐ２，ｙは前記第２突起部の配列方向に沿って測定した前記第２突起部の隣接突起間の間隔であり、
ＰＬは前記複数のレンズ構造物のピッチであり、
ｎ２，ｙは整数であり、ｎ２，ｘはｎ２，ｙ／ｔａｎθに最も近い整数であり、
θは前記複数のレンズ構造物の延長方向と前記第２突起部の突起配列方向との角度である。
【請求項６】
前記第２突起部は式４の５≦ｎ２，ｙ／ｓｉｎθ≦１８を満たすように形成される、請求項５に記載の集光フィルム。
前記式４において、ｎ２，ｙは整数であり、θは前記複数のレンズ構造物の延長方向と前記第２突起部の突起配置方向との角度である。
【請求項７】
前記第１突起部及び前記第２突起部の突起の直径は、レンズ構造物のピッチの０．１〜０．６倍である、請求項１から６の何れか１項に記載の集光フィルム。
【請求項８】
前記第１突起部及び前記第２突起部の突起の高さは、当該突起の直径の０．１〜１倍である、請求項１から７の何れか１項に記載の集光フィルム。
【請求項９】
前記第１突起部及び前記第２突起部の突起の高さは、１〜２０μｍである、請求項８に記載の集光フィルム。
【請求項１０】
光源と、
前記光源の側面に配置され、前記光源から出射された光の経路を制御する導光板と、
前記導光板の上部に配置され、一面に一方向に延長された複数のレンズ構造物を含み、前記複数のレンズ構造物の上部に形成され、前記複数のレンズ構造物の延長方向と同一方向に沿って配列される複数の突起からなる第１突起部と、前記複数のレンズ構造物の上部に形成され、前記複数のレンズ構造物の延長方向に対して一定の角度を有する方向に沿って配列される複数の突起からなる第２突起部と
を含む集光フィルムを含み、
少なくとも一つの前記レンズ構造物において、前記第１突起部の前記延長方向で隣接する２つの突起の間に前記第２突起部の突起が配置され、一方の前記隣接する第１突起部の突起と前記配置された第２突起部の突起との間の距離は、他方の前記隣接する第１突起部の突起と前記配置された第２突起部の突起との間の距離と異なる
バックライトユニット。
【請求項１１】
光源と、
前記光源の上部に配置され、前記光源から出射された光を拡散させる拡散板と、
前記拡散板上部に配置され、一面に一方向に延長された複数のレンズ構造物を含み、前記複数のレンズ構造物の上部に形成され、前記複数のレンズ構造物の延長方向と同一方向に沿って配列される複数の突起からなる第１突起部と、前記複数のレンズ構造物の上部に形成され、前記複数のレンズ構造物の延長方向に対して一定の角度を有する方向に沿って配列される複数の突起からなる第２突起部と
を含む集光フィルムを含み、
少なくとも一つの前記レンズ構造物において、前記第１突起部の前記延長方向で隣接する２つの突起の間に前記第２突起部の突起が配置され、一方の前記隣接する第１突起部の突起と前記配置された第２突起部の突起との間の距離は、他方の前記隣接する第１突起部の突起と前記配置された第２突起部の突起との間の距離と異なる
バックライトユニット。
【請求項１２】
前記バックライトユニットは、拡散フィルム及び保護フィルムのうち少なくとも一つ以上をさらに含む、請求項１０または１１に記載のバックライトユニット。
【請求項１３】
請求項１０〜請求項１２の何れか一項に記載のバックライトユニットを含むディスプレイ装置。
【請求項１４】
一面に一方向に延長された複数のレンズ構造物を含む集光フィルムを製造する方法であって、
前記複数のレンズ構造物を金型に陰刻する段階と、
前記複数のレンズ構造物の延長方向と同一方向に沿って、複数の突起をバイト加工又はレーザー加工により前記金型に陰刻することで第１突起部を陰刻する段階と、
前記第１突起部を陰刻する際のバイト進行方向またはレーザー進行方向に対して斜めに傾いた斜線方向に沿って、複数の突起を前記金型に陰刻することで第２突起部を陰刻する段階と、
前記金型に硬化性樹脂を注入し、硬化させる段階と
を備える
集光フィルムの製造方法。
【発明の詳細な説明】
【技術分野】
【０００１】
本発明は、集光フィルム、それを含むバックライトユニット及びディスプレイ装置に関するもので、より詳細には、フィルム間密着防止性能及びモアレ防止性能に優れた集光フィルム、それを含むバックライト及びディスプレイ装置に関する。
【背景技術】
【０００２】
液晶表示装置（Ｌｉｑｕｉｄ  Ｃｒｙｓｔａｌ  Ｄｉｓｐｌａｙ、ＬＣＤ）は、一般に、共通電極や色フィルターなどが形成されている上部基板と薄膜トランジスタなどが形成されている下部基板との間に液晶物質を注入し、画素電極及び共通電極に異なる電位を印加することで電界を形成して液晶分子の配列を変更させ、これにより、光の透過率を調節して画像を表現する装置である。
【０００３】
このような液晶表示装置は、自ら発光できない受光素子であるため、光を供給するためのバックライトユニットを必要とする。一般に、バックライトユニットは、光を供給する光源、線光源または点光源などを面光源に転換させるための拡散板または導光板及び光性能を向上させるための多数の光学フィルムからなる。バックライトユニットに用いられる光学フィルムには、光を正方向に偏向させて輝度を向上させる集光フィルムやバックライトの背面の欠陥または光源の輝線を隠蔽する機能を行う拡散フィルム、外部衝撃などから光学フィルムを保護するための保護フィルムなどがある。
【０００４】
また、一般に、上記集光フィルムや拡散フィルム、保護フィルムなどは積層されて用いられるが、積層されたフィルム同士が密着（ブロッキング）されて表面欠陥を誘発するという問題点がある。図１には、集光フィルム上に保護フィルムを積層したときに現れるウェットアウト現象及び密着（ブロッキング）現象が示されている。このようなフィルム密着による欠陥が発生した場合、表示装置の画質が低下するため、これを改善する必要がある。フィルム間密着を防止するために、レンチキュラーレンズまたはプリズムレンズ構造物を有する集光フィルムのピーク（ｐｅａｋ）部に一定の間隔で突起部を形成する技術が提案された。しかし、この場合、フィルム密着は防止できるが、レンズ構造物及び突起部によるモアレが激しくなって画像品質が低下するという問題点があった。また、突起部を不規則に形成する場合、このようなモアレが一部改善できるが、レンズ構造物上に不規則な突起部が形成された金型を製造することは技術的に非常に難しい。一般に、レンチキュラーレンズやプリズムのような集光フィルムは、表面形態が陰刻された金型を通じて製造され、上記陰刻はバイト加工などを通じて行われる。従って、突起部が不規則に配列された集光フィルムを製造するためには、バイト加工時に周波数（ｆｒｅｑｕｅｎｃｙ）を不規則に制御しなければならないが、金型加工が高速回転する状態で行われるため、制御することが非常に難しい。
【発明の概要】
【発明が解決しようとする課題】
【０００５】
本発明は、上記のような問題点を解決するためのもので、フィルム密着防止及びモアレ防止を同時に行うことができる集光フィルム、それを含むバックライトユニット及びディスプレイ装置を提供する。
【課題を解決するための手段】
【０００６】
本発明の一側面によると、一面に一方向に延長された多数のレンズ構造物を含み、上記レンズ構造物の上部に形成され、上記レンズ構造物の延長方向と同一方向に沿って配列される多数の突起からなる第１突起部と、上記レンズ構造物の上部に形成され、上記レンズ構造物の延長方向に対して一定の角度を有する方向に沿って配列される多数の突起からなる第２突起部と、を含む集光フィルムが提供される。
【０００７】
本発明の他の側面によると、光源と、上記光源の側面に配置され、上記光源から出射された光の経路を制御する導光板と、上記導光板の上部に配置される本発明の集光フィルムと、を含むバックライトユニットが提供される。
【０００８】
本発明のさらに他の側面によると、光源と、上記光源の上部に配置され、上記光源から出射された光を拡散させる拡散板と、上記拡散板の上部に配置される本発明の集光フィルムと、を含むバックライトユニットが提供される。
【０００９】
本発明のさらに他の側面によると、上記バックライトユニットを含むディスプレイ装置が提供される。
【発明の効果】
【００１０】
本発明の集光フィルムは、フィルム密着を防止することで、ウェットアウトまたは表面欠陥の発生を抑制することができ、モアレ防止効果に優れるため、優れた画質を具現することができる長所を有する。
【００１１】
また、本発明の集光フィルムは、製造方法が単純であるために生産性に優れ、再現性に優れて均一な製品品質を具現することができる。
【図面の簡単な説明】
【００１２】
【図１】集光フィルム上に保護フィルムを積層したときに現れるウェットアウト現象及び密着（ブロッキング）現象を示す図面である。
【図２】本発明の集光フィルムの一実施例を示す図面である。
【図３】本発明のバックライトユニットの一実施例を示す図面である。
【図４】本発明のバックライトユニットの他の実施例を示す図面である。
【発明を実施するための形態】
【００１３】
以下では、添付の図面を参照し、本発明の好ましい実施例について説明する。しかし、本発明の実施例は様々な他の形態に変形されることができ、本発明の範囲は以下で説明する実施例に限定されない。また、本発明の実施例は、当該技術分野で平均的な知識を有する者に本発明をより完全に説明するために提供されるものである。なお、図面における要素の形状及び大きさなどはより明確な説明のために誇張されることがある。
【００１４】
本発明者は、モアレ現象なしでフィルム間密着を防止することができる集光フィルムを開発するために研究を重ねた結果、レンズ構造物の延長方向と同一方向に配列された突起部と、レンズ構造物の延長方向に対して斜線方向に配列された突起部と、を有する本発明の集光フィルムを開発した。
【００１５】
図２には、本発明による集光フィルムの一実施例が示されている。
【００１６】
図２に示されているように、本発明の集光フィルム１は、配列方向が異なる２つの突起部３０、４０をレンズ構造物２０の上部に形成することで、フィルム間密着を効果的に防止しながらも、モアレを最小限にすることができるように設計された。また、本発明の集光フィルムは、それぞれの突起部が規則的な配列を有するため、フィルム用金型加工時に周波数（ｆｒｅｑｕｅｎｃｙ）を変化させる必要がなく製造に容易であり、製品再現性に優れて一定の品質を維持することができる。
【００１７】
より具体的には、本発明の集光フィルム１は、一面に一方向に延長された多数のレンズ構造物２０を含み、上記レンズ構造物２０上に異なる配列方向を有する第１突起部３０と、第２突起部４０と、を含む。
【００１８】
上記レンズ構造物２０は、光源から出射された光を一定の方向に偏向させて可視聴範囲の輝度を向上させるためのもので、例えば、一方向に延長されたプリズムレンズ、レンチキュラーレンズまたはこれらの組み合わせであることができる。また、上記プリズムレンズには、その断面が三角形状のレンズのみならず、レンズピーク部分が丸く変形された変形プリズムが含まれる。なお、上記レンチキュラーレンズは、断面形状が曲線状のレンズを全て含み、その断面は半球型、双曲線型、放物線型であることができる。
【００１９】
また、上記レンズ構造物２０は、これに限定されるものではないが、ピッチが１５μｍ〜８０μｍ程度、高さが５μｍ〜４０μｍ程度であることが好ましい。ピッチが１５μｍ未満の場合は、単位面積当たりのフィルムの谷部分が増加して輝度低下が激しくなり、形状加工の精密度の限界によって金型を製作することが困難になる。また、ピッチが１００μｍ超過の場合は、レンズ構造物とパネルとの間にモアレが発生する可能性が非常に大きくなる。なお、レンズ構造物の高さがレンズピッチの３０〜５０％程度、より具体的には、５μｍ〜４０μｍであると、好ましい集光性能を具現することができる。
【００２０】
なお、上記第１突起部３０及び第２突起部４０は、レンズ構造物２０の上部に形成され、フィルム間においてスペーサーの役割を行ってフィルムが密着することを防止する。本発明において、上記第１突起部３０は、レンズ構造物の延長方向に沿って配列される多数の突起３２からなり、第２突起部４０は、レンズ構造物の延長方向に対して一定の角度を有する方向に沿って配列される多数の突起４２からなる。
【００２１】
このように、配列方向が異なる２つの突起部を備える場合、突起部の規則性が緩和されるのみならず、それぞれの突起部によって発生する干渉パターンが重なって相殺されることでモアレが減少する効果が発生する。
【００２２】
このとき、上記レンズ構造物の延長方向と第２突起部の突起配列方向との角度θは、１０°≦θ≦４０°程度であることが好ましく、１５°≦θ≦２５°程度であることがさらに好ましい。これは、θ値が上記範囲にあると、モアレ減少効果が極大化するためである。
【００２３】
本発明において、上記第１突起部３０を構成する突起３２は、隣接した突起間の間隔が一定になるように配列されることが好ましい。より具体的には、下記式１を満たすように配列されることが好ましい。
【００２４】
式１：Ｐ１，ｘ＝Ｐ１，ｙ＝ｎ１×ＰＬ
【００２５】
上記式１において、Ｐ１，ｘはレンズ構造物の延長方向に対して垂直に測定した第１突起部の隣接突起間の間隔であり、Ｐ１，ｙはレンズ構造物の延長方向に沿って測定した第１突起部の隣接突起間の間隔であり、ＰＬはレンズ構造物のピッチであり、ｎ１は１以上の整数である。
【００２６】
特に、上記ｎ１は３〜７程度であることが好ましく、４〜６程度であることがさらに好ましい。これは、ｎ１が２以下の場合は、集光フィルムの輝度が低下する可能性があり、８以上の場合は、密着性能が顕著に減少する恐れがあるためである。
【００２７】
また、本発明において、上記第２突起部４０を構成する突起４２は、隣接する突起間の間隔が一定になるように配列されることが好ましい。より具体的には、下記式２及び式３を満たすように配列されることが好ましい。
【００２８】
式２：Ｐ２，ｘ＝（ｎ２，ｘ×ＰＬ）／ｃｏｓθ
式３：Ｐ２，ｙ＝（ｎ２，ｙ×ＰＬ）／ｓｉｎθ
【００２９】
上記式２及び式３において、Ｐ２，ｘは第２突起部の配列方向に対して垂直に測定した第２突起部の隣接突起間の間隔であり、Ｐ２，ｙは第２突起部の配列方向に沿って測定した第２突起部の隣接突起間の間隔であり、ＰＬはレンズ構造物のピッチであり、ｎ２，ｙは整数であり、ｎ２，ｘはｎ２，ｙ／ｔａｎθに最も近い整数であり、θはレンズ構造物の延長方向と第２突起部の突起配列方向との角度である。
【００３０】
また、上記第２突起部は、式４の５≦ｎ２，ｙ／ｓｉｎθ≦１８を満たすように形成されることがさらに好ましい。このとき、上記式４において、ｎ２，ｙは整数であり、θはレンズ構造物の延長方向と第２突起部の突起配列方向との角度を意味する。
【００３１】
なお、本発明において、上記第１突起部及び第２突起部の突起は、その直径がレンズ構造物のピッチＰＬの０．１〜０．６倍程度であることが好ましい。例えば、レンズ構造物のピッチが５０μｍ程度であると、突起直径は５〜３０μｍ程度であることが好ましく、約１２μｍ程度であることがさらに好ましい。これは、突起直径がレンズ構造物のピッチの０．１倍未満の場合は、密着防止効果がわずかであり、０．６倍超過の場合は、成形性及び安定性に問題が発生する可能性があるためである。
【００３２】
さらに、本発明において、上記第１突起部及び第２突起部の突起高さは、突起直径の０．１〜１倍程度であることが好ましい。これは、突起高さが突起直径の０．１倍未満の場合は、密着防止効果がわずかであり、１倍超過の場合は、成形が困難になるという問題点があるためである。より具体的には、上記突起高さは１〜２０μｍが好ましく、１．５〜１０μｍ程度であることがさらに好ましい。
【００３３】
一方、上記のような本発明の集光フィルムは、例えば、レンズ構造物及び突起形状が陰刻された金型に硬化性樹脂を注入し、硬化させることで製造されることができる。このとき、上記レンズ構造物の形状は、当該技術分野における公知の従来のレンズ構造物を形成する方法、例えば、機械的切削やホトレジストリフロー方式、ビードコート、レーザーエッチングなどの方法を通じて陰刻されることができ、上記突起部の形状は、レンズ構造物の形状が陰刻された金型上にバイト加工やレーザー加工などを通じて突起形状を重ね加工する方法で陰刻されることができる。特に、上記突起部の形状は、レーザー加工を通じて形成されることが好ましい。レーザー加工は、非常に精密であるため、本発明の突起のような微細な構造物を形成するのに適合するのみならず、エッチング面に接した後から加工が始まるため、金型面にレンズ構造物のような立体的形状が存在しても、屈曲面から均一した深さを有する二次形状を与えることができる長所がある。また、光学系を調節すると、パルス当たりの金属のエッチング形状、面積及び深さを調節することができるため、自由な点加工ができるのみならず、所望する位置に正確に突起を形成することができる。
【００３４】
より具体的には、本発明の集光フィルムは、これに限定されるものではないが、例えば、まず、レンズ構造物が陰刻された金型に第１突起部を陰刻した後、バイト進行方向またはレーザー進行方向を変更して第２突起部を陰刻して金型を形成してから、硬化性樹脂を注入し、硬化させる方法で製造されることができる。
【００３５】
上記のような方法で製造された本発明の集光フィルムは、バックライトユニットに適用され、優れた密着防止効果及びモアレ防止効果を示し、その結果、優れた画質を具現することができる。
【００３６】
本発明の集光フィルムは、バックライトユニットの種類と関係なく用いられることができる。即ち、光源がディスプレイパネルの側面に位置するエッジ型バックライト及び光源がディスプレイパネルの下面に位置する直下型バックライトユニットに共に用いられることができる。
【００３７】
図３及び図４には、本発明の集光フィルムを装着したバックライトユニットの実施例が記載されている。
【００３８】
図３に示されているように、本発明のバックライトユニットは、光源１００と、上記光源の側面に配置され、上記光源から出射された光の経路を制御する導光板２００と、上記導光板の上部に配置される本発明の上記集光フィルム１と、を含む。
【００３９】
また、本発明のバックライトユニットは、図４に示されているように、光源１００と、上記光源１００の上部に配置され、上記光源から出射された光を拡散させる拡散板３００と、上記拡散板の上部に配置される本発明の上記集光フィルム１と、を含む。
【００４０】
また、上記した本発明のバックライトユニットは、集光フィルム１の上部及び／または下部に光源を隠蔽するための拡散フィルム４００をさらに含むことができる。なお、図示されてはいないが、上記集光フィルム１の上部にレンズ構造物を保護するための保護フィルムをさらに含むこともできる。
【００４１】
また、図３及び図４には一つの集光フィルムが示されているが、本発明のバックライトユニットは、必要に応じて、二つ以上の集光フィルムを含むことができる。
【００４２】
なお、上記本発明のバックライトユニットは、液晶表示装置のようなディスプレイ装置に装着されて有用に用いられることができる。
【００４３】
以下では、具体的な実施例を通じて本発明をより具体的に説明する。
【００４４】
［実施例１］
【００４５】
ロール型金型にピークが曲面であるプリズムレンズ状を有するダイヤモンドバイトでレンズ構造物を陰刻した後、パルスレーザーを用いて第１突起部及び第２突起部をそれぞれ陰刻した。このとき、上記第１突起部は、水平方向及び垂直方向の隣接突起が２５０μｍの間隔を有し、レンズ構造物の延長方向に沿って配列されるように加工し、第２突起部は、第１突起部の配列方向（即ち、レンズ構造物の延長方向）に対して２１°傾いた斜線方向に沿って配列されるように加工した。このとき、上記第２突起部の配列方向において、隣接突起の間隔Ｐ２，ｙが４１８．５６μｍ、配列方向に垂直な方向において、隣接突起の間隔Ｐ２，ｘが４２８．４６μｍになるように加工した。
【００４６】
上記のように製造された金型ＰＥＴ機材の間に１．５４の屈折率を有するＵＶ硬化型樹脂を注入し、硬化させて集光フィルムを製造した。
【００４７】
上記のように製造された集光フィルムの構造は以下の通りである。
（１）レンズ構造物の断面形状：ピーク（ｐｅａｋ）部分が曲面（曲率半径：４μｍ）である変形プリズム
（２）レンズ構造物のピッチＰＬ：５０μｍ
（３）第１突起部の隣接突起間の間隔Ｐ１，ｘ＝Ｐ１，ｙ：２５０μｍ
（４）第１突起部の突起直径：１２μｍ
（５）第１突起部の突起高さ：６μｍ
（６）レンズ構造物の延長方向と第２突起部の突起配列方向との角度θ：２１°
（７）第２突起部の配列方向に沿って測定した第２突起部の隣接突起間の間隔Ｐ２，ｙ：４１８．５６μｍ
（８）第２突起部の配列方向に対して垂直に測定した第２突起部の隣接突起間の間隔Ｐ２，ｘ：４２８．４６μｍ
（９）第２突起部の突起直径：１２μｍ
（１０）第２突起部の突起高さ：６μｍ
【００４８】
［比較例１］
【００４９】
ロール型金型にピークが曲面であるプリズムレンズ状を有するダイヤモンドバイトでレンズ構造物を陰刻した後、パルスレーザーを用いて水平方向及び垂直方向の隣接突起が２００μｍの間隔を有し、レンズ構造物の延長方向に沿って配列されるように突起部を陰刻した。
【００５０】
上記のように製造された金型ＰＥＴ機材の間に１．５４の屈折率を有するＵＶ硬化型樹脂を注入し、硬化させて集光フィルムを製造した。
【００５１】
上記のように製造された集光フィルムの構造は以下の通りである。
（１）レンズ構造物の断面形状：ピーク（ｐｅａｋ）部分が曲面（曲率半径４μｍ）である変形プリズム
（２）レンズ構造物のピッチＰＬ：５０μｍ
（３）突起部の隣接突起間の間隔：２００μｍ
（４）突起部の突起直径：１２μｍ
（５）突起部の突起高さ：６μｍ
【００５２】
［比較例２］
【００５３】
金型製造時に、第２突起部を第１突起部の配列方向（即ち、レンズ構造物の延長方向）に対して５°傾いた斜線方向に沿って配列されるようにした。上記第２突起部の配列方向において、隣接突起間の間隔Ｐ２，ｙが５７３．６９μｍ、配列方向に垂直な方向において、隣接突起間の間隔Ｐ２，ｘが５５１．１０μｍになるように加工した点を除いては、実施例１と同一方法で集光フィルムを製造した。
【００５４】
［比較例３］
【００５５】
金型製造時に、第２突起部を第１突起部の配列方向（即ち、レンズ構造物の延長方向）に対して４５°傾いた斜線方向に沿って配列されるようにし、上記第２突起部の配列方向において、隣接突起間の間隔Ｐ２，ｙが４９４．９７μｍ、配列方向に垂直な方向において、隣接突起間の間隔Ｐ２，ｘが４９４．９７μｍになるように加工した点を除いては、実施例１と同一方法で集光フィルムを製造した。
【００５６】
［比較例４］
【００５７】
金型製造時に、第１突起部の隣接突起間の間隔を１００μｍ（即ち、ｎ１＝２）になるように加工した点を除いては、実施例１と同一方法で集光フィルムを製造した。
【００５８】
［比較例５］
【００５９】
金型製造時に、第１突起部の隣接突起間の間隔を５００μｍ（即ち、ｎ１＝１０）になるように加工した点を除いては、実施例１と同一方法で集光フィルムを製造した。
【００６０】
［比較例６］
【００６１】
金型製造時に、第２突起部の配列方向において、隣接突起間の間隔Ｐ２，ｙが１３９．５２μｍ、配列方向に垂直な方向において、隣接突起間の間隔Ｐ２，ｘが１６０．６７μｍになるように加工した点を除いては、実施例１と同一方法で集光フィルムを製造した。
【００６２】
［比較例７］
【００６３】
金型製造時に、第２突起部の配列方向において、隣接突起間の間隔Ｐ２，ｙが９７６．６５μｍ、配列方向に垂直な方向において、隣接突起間の間隔Ｐ２，ｘが９６４．０３μｍになるように加工した点を除いては、実施例１と同一方法で集光フィルムを製造した。
【００６４】
［実験例１−密着防止効果の測定］
【００６５】
上記実施例及び比較例１〜７によって製造された集光フィルム上にＰＥＴフィルムを積層した後、その上に５ｋｇｆ／ｃｍ２の荷重錘を載せて温度８５°Ｃ、湿度９５％の条件下で２４時間放置した。２４時間経過後、集光フィルム及びＰＥＴフィルムの密着有無を肉眼で観察した。観察結果は表１に示され、密着が発生した場合を×、密着が発生しなった場合を○と示した。
【００６６】
［実験例２−モアレ防止効果の測定］
【００６７】
上記実施例及び比較例１〜７によって製造されたそれぞれの集光フィルムをバックライトユニットの導光板上に２枚ずつ直交するように配置した。ここで、直交とは、集光フィルムのレンズ構造物の延長方向が垂直になるように配置することを意味する。その後、その上にＬＣＤパネルを常置してから、肉眼観察を通じてモアレ発生の有無を観察した。
【００６８】
このとき、上記ＬＣＤパネルとしては、２６インチ、３２インチ及び３７インチＦＨＤ（ｆｕｌｌ  ＨＤ）をそれぞれ用いた。
【００６９】
また、モアレ発生の有無は、全てのピクセル（ｐｉｘｅｌ）がＯｎ状態の「ホワイトモード（ｗｈｉｔｅ  ｍｏｄｅ）」、チェック（ｃｈｅｃｋ）パターンのようにＯｎ状態のピクセル（ｐｉｘｅｌ）とＯｆｆ状態のピクセル（ｐｉｘｅｌ）が交互に示される「１ドットモード（１  ｄｏｔ  ｍｏｄｅ）」、縦方向のストライプパターンのように隣接したＯｎ状態のピクセル（ｐｉｘｅｌ）列（ｃｏｌｕｍｎ）とＯｆｆ状態のピクセル（ｐｉｘｅｌ）列（ｃｏｌｕｍｎ）が交互に示される「１ライン垂直モード（１  ｌｉｎｅ  ｖｅｒｔｉｃａｌ  ｍｏｄｅ）」、横方向のストライプパターンのように隣接したＯｎ状態のピクセル（ｐｉｘｅｌ）行（ｒｏｗ）とＯｆｆ状態のピクセル（ｐｉｘｅｌ）行（ｒｏｗ）が交互に示される「１ライン水平モード（１  ｌｉｎｅ  ｈｏｒｉｚｏｎｔａｌ  ｍｏｄｅ）」の総４つのモードによって測定された。また、測定結果は表１に示されている。
【００７０】
［実験例３−輝度測定］
【００７１】
上記実施例及び比較例１〜７によって製造されたそれぞれの集光フィルムをバックライトユニットの導光板上に２枚ずつ直交するように配置した。ここで、直交とは、集光フィルムのレンズ構造物の延長方向が垂直になるように配置することを意味する。その後、集光フィルムの正面の中心位置における輝度を測定した。輝度測定機器は、Ｔｏｐｃｏｎ社のＢＭ７ＴＭを用いており、実施例の輝度を基準（１００％）にしたとき、比較例１〜７の相対的な輝度値を示した。また、測定結果は表１に示されている。
【００７２】
【表１】
0005646728.tif 000002
【符号の説明】
【００７３】
１  集光フィルム
２０  レンズ構造物
３０  第１突起部
４０  第２突起部
１００  光源
２００  導光板
３００  拡散板
４００  拡散フィルム
【図２】
0005646728.tif 000003
【図３】
0005646728.tif 000004
【図４】
0005646728.tif 000005
【図１】
0005646728.tif 000006